(57)【要約】      （修正有）【課題】調光とタイマーの作用を兼ね備え、節電機能を達成する定時調光器を提供する。【解決手段】定時調光器１は、底台１０、底台１０内に収容設置する回路装置２０、底台１０と相互に対応して接合する頂点蓋３０を備え、回路装置２０は調光回路と時間設定回路を備え、電源スイッチ２２、時間設定スイッチ２３を設置し、スイッチボタン３７と時間設定ボタン３８により操作し、使用時には一端を電線及びプラグにより電源と連接し、反対端は電線によりランプと連接し、スイッチボタン３７を押すことで、電源スイッチ２２を押すと、オン、オフを操作可能で、調光回路により、ランプに対して調光設定の操作を行うことができ、時間設定ボタン３８を押すことで、時間設定スイッチ２３を押すと、時間設定回路により、ランプに対して時間設定の操作を行うことができる。【選択図】図１
0003154899.tif 000002
【実用新案登録請求の範囲】
【請求項１】
定時調光器において、その一端は、電線とプラグにより電源と連接し、反対端は、電線とランプホルダーが連接し、
前記定時調光器は、底台、底台内部に収容設置する回路装置、前記底台と相互に対応して接合する頂点蓋を備え、
前記底台内部の両端に近い位置には、それぞれ穿孔を設置し、固定接続部品を下から挿入して設置し、
前記回路装置は、回路板上に、若干の電子部品を設置して組成し、
前記回路板の両端は、それぞれ前記電線と電気的に連接し、
前記回路上には、調光回路と時間設定回路を備え、電源スイッチ、時間設定スイッチを設置し、
前記頂点蓋の内部には、前記底台の穿孔位置に対応して、ネジ孔を設置し、前記固定接続部品を螺入して接合し、
前記頂点蓋表面上には、２個の開槽を開設し、
前記各開槽には、スイッチボタン、時間設定ボタンを収容設置し、
前記各ボタンの底部は、前記電源スイッチ、前記時間設定スイッチにそれぞれ対応して接触し、
使用時には前記スイッチボタンを押すことで、前記電源スイッチを押すと、オン、オフを操作可能で、前記調光回路により、ランプに対して調光設定の操作を行うことができ、
前記時間設定ボタンを押すことで、前記時間設定スイッチを押すと、前記時間設定回路により、ランプに対して時間設定の操作を行うことができることを特徴とする定時調光器。
【請求項２】
前記回路装置はさらに、複数の発光インジケーターを備え、それぞれオン、オフ、及び時間設定の状態を示すことを特徴とする請求項１に記載の定時調光器。
【請求項３】
前記複数の発光インジケーターはさらに、電源インジケーター、複数の設定時間インジケーターを備え、
前記電源インジケーターは、オン、オフの状態を示し、
前記設定時間インジケーターは、様々な設定時間の長短を示すことを特徴とする請求項２に記載の定時調光器。
【請求項４】
前記調光回路は、調光作用に対して、リセット機能を備え、前記スイッチボタンを押し、通電させる度に、出力は最大状態を回復することを特徴とする請求項１に記載の定時調光器。
【請求項５】
前記時間設定回路は、時間設定作用に対して、記憶機能を備え、電力供給が維持されれば、前記時間設定回路は、前回オフの前の時間設定状態を記憶していることを特徴とする請求項１に記載の定時調光器。
【考案の詳細な説明】
【技術分野】
【０００１】
本考案は定時調光器に関し、特に調光とタイマーの作用を兼ね備え、節電機能を達成する定時調光器に関する。
【背景技術】
【０００２】
調光器は、照明の明度を変化させる機能を備える。
従来の調光器は、外殻に露出する操作部品(ボタンなど)を利用し、内部に設置するレジスターの抵抗値を操作して改変し、照明の明るさを調整するものである。
しかし、従来の調光器は、調光作用しか備えないため、ある明度に調整後はその明度が固定され、自動的に消灯することはない。
このように機能が単一では、状況に合わせた使用に不便である。
しばしば見られる状況としては、以下のようなものがある。
使用者は就寝前に、フル明度の照明負荷を使用し雑誌を読んでいるが、寝る時には眠りに入り易いよう微光にし、さらに寝入って１〜２時間後にはライトが完全に消灯するよう期待する。
なぜなら、深い眠りに入っていれば一切の照明が不要であり(たとえ目が覚めても、暗黒に目が慣れている)、さらに節電も期待されるからである。
実は多くの人は、照明の調整が間に合わずに寝付いてしまっており、このような場合には、節電のため自動消灯の調光器が必要である。
また、外出時に室内灯を点灯(「フル点灯、或いは微光で点灯」の別に拘わらず)させたままにする場合もある。
この際、数時間後に自動消灯する機能があれば、室内に人が居るように装うことができる。
しかし、従来の調光作用を備える調光器では、上記した各種状況におけるニーズに全く応えることはできない。
不景気で、かつ環境保護意識が高まっている現在、人々はあらゆる電気製品の省エネ機能を非常に重視している。
本考案は、従来の調光器の上記した欠点に鑑みてなされたものである。
【考案の概要】
【考案が解決しようとする課題】
【０００３】
本考案が解決しようとする課題は、調光とタイマーの作用を兼ね備え、節電機能を達成する定時調光器を提供することである。
【課題を解決するための手段】
【０００４】
上記課題を解決するため、本考案は下記の定時調光器を提供する。
定時調光器の一端は、電線とプラグにより電源と連接し、反対端は、電線とランプホルダーが連接し、
該定時調光器は、底台、該底台内に収容設置する回路装置、該底台と相互に対応して接合する頂点蓋を備え、
該底台内部の両端に近い位置には、それぞれ穿孔を設置し、固定接続部品を下から挿入して設置し、
該回路装置は、回路板上に、若干の電子部品を設置して組成し、
該回路板の両端は、それぞれ該電線と電気的に連接し、
該回路上には、調光回路と時間設定回路を備え、電源スイッチ、時間設定スイッチを設置し、
該頂点蓋の内部には、該底台の穿孔位置に対応して、ネジ孔を設置し、該固定接続部品を螺入して接合し、
該頂点蓋表面上には、２個の開槽を開設し、
該各開槽には、スイッチボタン、時間設定ボタンを収容設置し、
該各ボタンの底部は、該電源スイッチ、該時間設定スイッチにそれぞれ対応して接触し、使用時には該スイッチボタンを押すことで、該電源スイッチを押すと、オン、オフを操作可能で、該調光回路により、ランプに対して調光設定の操作を行うことができ、
該時間設定ボタンを押すことで、該時間設定スイッチを押すと、該時間設定回路により、ランプに対して時間設定の操作を行うことができ、
該回路装置はさらに、複数の発光インジケーターを備え、それぞれオン、オフ、及び時間設定の状態を示し、
該複数の発光インジケーターはさらに、電源インジケーター、複数の設定時間インジケーターを備え、
該電源インジケーターは、オン、オフの状態を示し、
該設定時間インジケーターは、様々な設定時間の長短を示し、
該調光回路は、調光作用に対して、リセット機能を備え、該スイッチボタンを押し、通電させる度に、出力は最大状態を回復し、
該時間設定回路は、時間設定作用に対して、記憶機能を備え、電力供給が維持されれば、該時間設定回路は、前回オフの前の時間設定状態を記憶している。
【考案の効果】
【０００５】
本考案定時調光器は、調光とタイマーの作用を兼ね備え、節電機能を達成することができる。
【図面の簡単な説明】
【０００６】
【図１】本考案一実施例の構造を示す立体分解図である。
【図２】本考案一実施例の頂点蓋を示す俯瞰立体図である。
【図３】本考案一実施例の使用状態を示す俯瞰模式図である。
【図４】本考案一実施例の内部組合せ状態を示す模式図である。
【図５】本考案一実施例の組合せ状態を示す側面模式図である。
【図６】本考案一実施例の回路図である。
【図７】本考案一実施例の使用状態を示すフローチャートである。
【考案を実施するための形態】
【０００７】
以下に図面を参照しながら本考案を実施するための最良の形態について詳細に説明する。
【０００８】
図１、２、３、４、５に示すように、本考案一実施例の定時調光器１の一端は、電線２６とプラグ２６１により電源と連接し、反対端は、電線２５とランプホルダー２７(照明負荷)が連接する。
定時調光器１は、底台１０、底台１０内に収容設置する回路装置２０、底台１０と相互に対応して接合する頂点蓋３０を備える。
底台１０内部の両端に近い位置には、それぞれ穿孔１１を設置し、固定接続部品１２(ボルトなど)を下から挿入して設置する。
穿孔１１側辺には、それぞれ受け止め槽１３を設置する。
底台１０外側の両方の壁体上には、半円形の収容設置槽１４をそれぞれ形成し、これにより組合せ時に、電線２５、２６を通過させることができる(図４参照)。
底台１０内部の壁体上には、回路装置２０を支える、若干の受け止め槽１５を設置する。
【０００９】
回路装置２０は、回路板２１上に、若干の電子部品を設置して組成する。
各電子部品の連結関係は、図６の回路図に示す。
回路上には主に、調光回路と時間設定回路を備え、主に、電源スイッチ２２、時間設定スイッチ２３、複数の発光インジケーター２４を備える。
複数の発光インジケーター２４はさらに、電源インジケーター２４１、３個の設定時間インジケーター２４２、２４３、２４４を備える。
設定時間インジケーター２４２、２４３、２４４は、１時間、２時間、３時間などの設定時間の長短を示す。
回路板２１の両端は、それぞれ電線２５、２６と電気的に連接する。
図４、５に示すように、組合せ時には、回路装置２０の回路板２１を、底台１０内部の受け止め槽１５間に設置し、２個の穿孔１１間に位置させ、電線２５、２６は、それぞれ各受け止め槽１３と収容設置槽１４上に載せ、上向きに外へと延伸させる。
【００１０】
図２に示すように、頂点蓋３０の底部(内部)は、底台１０の穿孔１１、受け止め槽１３、収容設置槽１４、受け止め槽１５の位置に、それぞれ対応して、ネジ孔３１、プレッシャーリブ３３、収容設置槽３４、プレッシャーリブ３５を設置する。
プレッシャーリブ３３と収容設置槽３４との間の空間にはさらに、プレッシャーボード３２を成型する。
これにより、頂点蓋３０と底台１０周縁を組合せる時には、各受け止め槽１５とプレッシャーリブ３５とは、ちょうど一緒に、回路装置２０の回路板２１を同時に挟持する。
しかも、両側の電線２５、２６は、各受け止め槽１３とプレッシャーリブ３３により、ちょうどそれぞれ挟持され、さらに外へと延伸し、各プレッシャーボード３２底部を通過後、上方へ向かい、さらに外へと向かい、各収容設置層１４、３４を通過して、外へと延伸する。
次に、上記した下から挿入して設置する穿孔１１の固定接続部品１２(ボルトなど)を、頂点蓋３０内のネジ孔３１に螺入して接合する。
頂点蓋３０の表面上には、２個の開槽３６を開設する。
各開槽３６は、適当な深さに入り込み、さらに内部に向かって位置限定階段３６２を形成する。
位置限定階段３６２上には、それぞれ若干(３個など)の位置限定槽３６１を開設する。
各開槽３６には、スイッチボタン３７、時間設定ボタン３８を収容設置する。
各ボタン３７、３８の側面上には、位置限定槽３６１と対応する若干(３個など)の係合フック３７１、３８１を形成し、各ボタン３７、３８の上方の位置には、外径が広がった位置限定環状部３７２、３８２を形成し、これにより、位置限定階段３６２に対応する。
組合せ時には、各ボタン３７、３８を、対応する開槽３６内にそれぞれ入れ、各係合フック３７１、３８１を、先ずそれぞれ対応する位置限定槽３６１に接触させる。
次に、わずかに力を入れ下方へと押し、各係合フック３７１、３８１前端の内縮部に、位置限定槽３６１を通過させる。
この時、各ボタン３７、３８の底部は、電源スイッチ２２と時間設定スイッチ２３の頂点面にそれぞれ対応して接触するが、各位置限定環状部３７２、３８２と、対応する位置限定階段３６２との間には、なお間隔距離が存在する。
頂点蓋３０表面側には、複数の穿孔３９を備え、これにより各複数の発光インジケーター２４の頂点部は、それぞれ突出する(図３、５参照)。
【００１１】
上記のように本考案構造は組合せを完成後、使用時には、プラグ２６１を電源に挿入して接続し、電線２６を通して、回路装置２０へと電力を供給する。
こうして、回路装置２０上の調光回路と時間設定回路は作動を開始する。
さらに、電線２５により、ランプホルダー２７へと電力を伝送し、ランプホルダー２７上に設置するランプ４０(照明負荷)は、電力の供給を受け、しかも、調光回路と時間設定回路の制御を受ける。
【００１２】
次に、図７に示すように、本考案が調光制御を行う時のプロセスについて説明する。
１．スイッチボタン３７を一回押すと、スイッチボタン３７により電源スイッチ２２を一回押すことになり、定時調光器１は、ランプ４０に電力を供給する。この時、ランプ４０は点灯し、この時の電力負荷は最大で、この時のランプ４０の明度は最高である。同時に、電源インジケーター２４１も点灯し、使用者は、定時調光器１がランプ４０に通電中であることを知らされる。続いて、さらにスイッチボタン３７をもう一回押すと、スイッチボタン３７により電源スイッチ２２をもう一回押すことになり、定時調光器１は、ランプ４０への電力供給を停止し、ランプ４０は消灯(電力負荷無し)する。同時に、電源インジケーター２４１も消灯し、使用者は、定時調光器１がランプ４０への電力供給を停止したことを知らされる。
２．使用者がランプ４０の調光を行おうとする時には、定時調光器１が通電状態にある時に、スイッチボタン３７を約３秒間押し続け、すなわち、スイッチボタン３７により、電源スイッチ２２を約３秒間押し続ける。これにより、調光回路へ導通し、作用を開始し、ランプ４０の明度は変化(変化の範囲は、出力０〜１００％。０％は消灯で、１００％は最高の明度)を始め、ランプ４０の明度は、フル明度から徐々に暗くなり、完全な消灯まで変化し、さらに、完全消灯から徐々に明るくなりフル明度まで変化する。このような循環変化(スイッチボタン３７を押し続ける必要がある)において、ランプ４０の明度がフル明度(すなわち、出力１００％)に達した時、ランプ４０は、一度点滅し、出力(明度)が最大に達したことを、使用者に知らせる。
３．ランプ４０の明度が循環変化の状態にある時、使用者がランプ４０のある明度がニーズに合っていると考えれば、その明度に達した時に、スイッチボタン３７を放す。つまり、スイッチボタン３７を通して電源スイッチ２２への加圧を解除することになり、こうしてランプ４０はその明度を保持する。
４．ランプ４０がある明度に調光された時、使用者が時間設定作用を必要とする(背景技術で記述したように、使用者がランプ４０を微光して眠りに就こうとし、それと共に、ランプ４０が、数時間後には自動的に消灯することを期待する)場合には、時間設定ボタン３８を一回押し、すなわち、時間設定ボタン３８を通して、時間設定スイッチ２３を一回押す。これにより、１時間の時間設定が完了し、時間設定インジケーター２４２が点灯して、使用者に１時間に設定されたことを知らせる。もし、時間設定ボタン３８を連続して二回押せば、つまり時間設定ボタン３８を通して、時間設定スイッチ２３を二回押すことになり、２時間の時間設定が完了し、別の時間設定インジケーター２４３が点灯して(すなわち、時間設定インジケーター２４２、２４３が共に点灯する)、使用者に２時間に設定されたことを知らせる。よって、もし時間設定ボタン３８を連続して三回押せば、つまり時間設定ボタン３８を通して、時間設定スイッチ２３を三回押すことになり、３時間の時間設定が完了し、別の時間設定インジケーター２４４が点灯して(すなわち、時間設定インジケーター２４２、２４３、２４４が共に点灯する)、使用者に２時間に設定されたことを知らせる。続いて、１時間が経過すると、長い時間設定を示す時間設定インジケーター２４４、或いは２４３が消灯する。設定時間になると、定時調光器１への通電は停止され、ランプ４０とすべての発光インジケーター２４は消灯する。
５．時間設定ボタン３８を押し、時間の設定を行う時、一回押すと１時間に設定したこととなり、重ねて押すことでそれは増えて行く。但し、最長設定時間まで増えた後(本考案の最長設定時間は３時間であるので、三回押した後)、さらに一回押す(本考案では、四回目に押す)と設定時間はゼロにリセットされ、しかもすべての時間設定インジケーター２４２、２４３、２４４は消灯し、続いて、再び一回押すと新たに時間を設定することができる。つまり本考案では、時間設定の操作は、１時間→２時間→３時間→ゼロ→１時間→２時間→３時間→ゼロのように、繰り返される。
６．本考案定時調光器１の調光回路は、調光作用に対して、リセット機能を備える。スイッチボタン３７を押し、通電させる度に、出力は最大状態(つまり、設定出力の１００％で、ランプ４０の明度は最高)に回復し、続いて、調光操作を再度行うことができる。
７．本考案定時調光器１の時間設定回路は、時間設定作用に対して、記憶機能を備える。プラグ２６１を電源に挿入して接続した状態を保持(つまりたとえオフにしても、電力供給は維持される)すれば、時間設定回路は、前回(オフの前)の設定時間を記憶している。たとえば、前回の設定時間が１時間で、１時間経たない内にスイッチボタン３７を押してオフにし、次にスイッチボタン３７を再び押してオンにした時、本考案定時調光器１の時間設定回路は、前回(オフの前)の設定時間(１時間)を記憶しており、それを執行する。
８．スイッチボタン３７と時間設定ボタン３８を正常に押すと、位置限定環状部３７２、３８２は、開槽３６の位置限定階段３６２にちょうど阻害されるため、電源スイッチ２２と時間設定スイッチ２３が強く圧迫され破損する恐れを回避することができる。すなわち、各位置限定階段３６２はスイッチボタン３７と時間設定ボタン３８の下降量を制限する作用を備える。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１  定時調光器
１０  底台
１１  穿孔
１２  固定接続部品
１３  受け止め槽
１４  収容設置槽
１５  受け止め槽
２０  回路装置
２１  回路板
２２  電源スイッチ
２３  時間設定スイッチ
２４  発光インジケーター
２４１  電源インジケーター
２４２、２４３、２４４  設定時間インジケーター
２５、２６  電線
２６１  プラグ
２７  ランプホルダー
３０  頂点蓋
３１  ネジ孔
３２  プレッシャーボード
３３  プレッシャーリブ
３４  収容設置槽
３５  プレッシャーリブ
３６  開槽
３６１  位置限定槽
３６２  位置限定階段
３７  スイッチボタン
３８  時間設定ボタン
３７１、３８１  係合フック
３７２、３８２  位置限定環状部
３９  穿孔
４０  ランプ
【図１】
0003154899.tif 000003
【図２】
0003154899.tif 000004
【図３】
0003154899.tif 000005
【図４】
0003154899.tif 000006
【図５】
0003154899.tif 000007
【図６】
0003154899.tif 000008
【図７】
0003154899.tif 000009